(57)【要約】【課題】表示レイアウトを変更することなく、かつ、何れのカーソルキーを押せば何れの項目が選択されるかをユーザが容易に判断できる表示制御デバイスなどを提供する。【解決手段】表示画像作成部３２は、表示部２４に表示するための表示画像を作成し、選択対象特定部３３は、表示画像に含まれる項目のうち、複数のカーソルキー１０を押すことによりそれぞれ選択される複数の選択候補の項目を特定し、表示画像作成部３２は、特定された選択候補の項目が他の項目とは異なる表示形態となるように、表示画像を変更する。【選択図】図１
2013167979.tif 000002
【特許請求の範囲】
【請求項１】
操作デバイスにおける操作に基づき、表示デバイスにおける表示を制御する表示制御デバイスであって、
前記表示デバイスに表示するための表示画像を作成する表示画像作成手段を備えており、
前記表示画像に含まれる項目のうち、前記操作デバイスにおける複数のカーソルキーを押すことによりそれぞれ選択される複数の選択候補の項目を特定する選択候補特定手段をさらに備えており、
前記表示画像作成手段は、前記選択候補特定手段が特定した選択候補の項目が、該選択候補ではない他の項目とは異なる表示形態となるように、前記表示画像を変更することを特徴とする表示制御デバイス。
【請求項２】
前記表示画像作成手段は、さらに、前記複数の選択候補の項目のそれぞれが互いに異なる表示形態となるように、前記表示画像を変更することを特徴とする請求項１に記載の表示制御デバイス。
【請求項３】
前記表示画像作成手段は、前記複数のカーソルキーにそれぞれ対応する前記複数の選択候補の項目の表示形態と、前記複数のカーソルキーとの対応関係を表示するように、前記表示画像を変更することを特徴とする請求項２に記載の表示制御デバイス。
【請求項４】
前記表示画像作成手段は、前記複数のカーソルキーにそれぞれ対応する前記複数の選択候補の項目の表示形態と、前記複数のカーソルキーとの対応関係を表示するように、前記操作デバイスに指示することを特徴とする請求項２に記載の表示制御デバイス。
【請求項５】
前記表示形態が色であることを特徴とする請求項１から４までの何れか１項に記載の表示制御デバイス。
【請求項６】
画面に画像を表示する表示デバイスと、
該表示デバイスにおける表示を制御する、請求項１から５までの何れか１項に記載の表示制御デバイスとを備える表示装置。
【請求項７】
表示デバイスの画面上に表示される複数の項目の何れかを選択する操作を行う操作デバイスであって、
複数のカーソルキーと、
各カーソルキーまたはその付近に設けられ、当該カーソルキーを押すことにより選択される選択候補の項目の色を表示するインジケータとを備えることを特徴とする操作デバイス。
【請求項８】
請求項１から５までの何れか１項に記載の表示制御デバイスを動作させるための制御プログラムであって、コンピュータを上記の各手段として機能させるための制御プログラム。
【請求項９】
請求項８に記載の制御プログラムが記録されたコンピュータ読取り可能な記録媒体。
【請求項１０】
操作デバイスにおける操作に基づき、表示デバイスにおける表示を制御する表示制御デバイスの表示制御方法であって、
前記表示デバイスに表示するための表示画像を作成する表示画像作成ステップと、
前記表示画像に含まれる項目のうち、前記操作デバイスにおける複数のカーソルキーを押すことによりそれぞれ選択される複数の選択候補の項目を特定する選択候補特定ステップと、
該選択候補特定ステップにて特定された選択候補の項目が、該選択候補ではない他の項目とは異なる表示形態となるように、前記表示画像を変更する表示画像変更ステップとを含むことを特徴とする表示制御デバイスの表示制御方法。
【発明の詳細な説明】
【技術分野】
【０００１】
本発明は、操作デバイスにおける操作に基づき、表示デバイスにおける表示を制御する表示制御デバイス、その制御方法、制御プログラム、および記録媒体、表示装置、並びに操作デバイスに関するものである。
【背景技術】
【０００２】
一般に、ＷｅｂページはＨＴＭＬ（Hypertext Markup Language）により記述されており、端末では、上記Ｗｅｂページのドキュメント構造をＷｅｂブラウザが解析することによって、ユーザが閲覧可能な文書としてＷｅｂページを表示する。Ｗｅｂページには、ハイパーテキストとして記述されたテキストを見出しとして、該見出しに対応する他のページへ遷移するためのハイパーリンク（以下、単に「リンク」と略称する。）が設定されることが多い。端末は、ユーザが上記リンクを選択し決定操作を行うことにより、リンク先のＵＲＬ（Uniform Resource Locator）から対応するＷｅｂページを取得することができる。
【０００３】
ユーザが上記リンクを選択する従来の手法の例として、特許文献１・２に記載の手法が挙げられる。特許文献１に記載のＷｅｂブラウザ用リモコンでは、各リンク間を移動できるカーソルをＷｅｂページ上に表示し、上記リモコン上のカーソルキーを押して上記カーソルを移動させている。
【０００４】
また、特許文献２に記載の表示制御装置では、項目の選択モードとして、ポインタを移動させて項目を選択できるポインタモードと、カーソルを移動させて項目を選択できるカーソルモードとが用意されている。選択モードをポインタモードからカーソルモードに切り換える場合、Ｗｅｂページの表示範囲は選択モードの切換え前の範囲と同じ範囲のまま、ポインタの表示は消去され、カーソルが、ポインタの表示位置に最も近い位置にある項目を選択した状態で表示される。
【０００５】
しかしながら、特許文献１・２に記載の手法では、表示画面内の或る方向に複数のリンクが表示されている場合に当該方向のカーソルキーを押すと、上記複数のリンクの何れが選択されるかが不明であるため、意図しないリンクが選択されてしまうという虞がある。
【０００６】
これに対し、何れのリンクが選択されるかを予め特定した上で選択する手法として、特許文献３に記載の手法が挙げられる。特許文献３に記載のブラウザ装置は、まず、ＨＴＭＬテキストの解析を行い表示用データを作成し、該表示用データの中で表示部に表示する表示範囲を設定する。次に、上記表示用データの表示範囲内のアンカータグの文字列にマーク番号を付加する。そして、マーク番号の付加された表示用データを表示部に表示する。
【先行技術文献】
【特許文献】
【０００７】
【特許文献１】特開２００１−２０９４９５号公報（２００１年０８月０３日公開）
【特許文献２】特開２００８−１８０８０３号公報（２００８年０８月０７日公開）
【特許文献３】特開平１１−０２５１１４号公報（１９９９年０１月２９日公開）
【発明の概要】
【発明が解決しようとする課題】
【０００８】
しかしながら、特許文献３に記載の手法では、リンク（アンカータグ）の文字列にマーク番号が付加されて表示されることになり、表示レイアウトが変化する虞がある。また、上記マーク番号は、上記文字列に関係のない番号であるため、リンクの文字列の意味が分かり難くなる虞がある。さらに、表示用データには、上記マーク番号以外にも数字の文字列が存在する場合がある。この場合、上記マーク番号と上記数字の文字列とを判別してから、上記マーク番号に対応するキーを押すことになり、該キーを押すまでに時間がかかることが予想される。
【０００９】
本発明は、上記の問題点に鑑みてなされたものであり、その目的は、表示レイアウトを変更することなく、かつ、何れのカーソルキーを押せば何れの項目が選択されるかをユーザが容易に判断できる表示制御デバイスなどを提供することにある。
【課題を解決するための手段】
【００１０】
本発明に係る表示制御デバイスは、操作デバイスにおける操作に基づき、表示デバイスにおける表示を制御する表示制御デバイスであって、上記課題を解決するために、前記表示デバイスに表示するための表示画像を作成する表示画像作成手段を備えており、前記表示画像に含まれる項目のうち、前記操作デバイスにおける複数のカーソルキーを押すことによりそれぞれ選択される複数の選択候補の項目を特定する選択候補特定手段をさらに備えており、前記表示画像作成手段は、前記選択候補特定手段が特定した選択候補の項目が、該選択候補ではない他の項目とは異なる表示形態となるように、前記表示画像を変更することを特徴としている。
【００１１】
また、本発明に係る表示制御デバイスの表示制御方法は、操作デバイスにおける操作に基づき、表示デバイスにおける表示を制御する表示制御デバイスの表示制御方法であって、上記課題を解決するために、前記表示デバイスに表示するための表示画像を作成する表示画像作成ステップと、前記表示画像に含まれる項目のうち、前記操作デバイスにおける複数のカーソルキーを押すことによりそれぞれ選択される複数の選択候補の項目を特定する選択候補特定ステップと、該選択候補特定ステップにて特定された選択候補の項目が、該選択候補ではない他の項目とは異なる表示形態となるように、前記表示画像を変更する表示画像変更ステップとを含むことを特徴としている。
【００１２】
上記の構成および方法によると、まず、表示デバイスに表示するための表示画像が含まれる項目のうち、操作デバイスにおける複数のカーソルキーを押すことによりそれぞれ選択される複数の選択候補の項目が特定される。次に、特定された選択候補の項目が、該選択候補ではない他の項目とは異なる表示形態となるように、上記表示画像が変更されて表示デバイスにて表示される。これにより、選択候補の項目の表示形態を変更するのみであり、例えば特許文献３のように、番号を追加することがないので、表示レイアウトが変更されることがない。
【００１３】
また、カーソルキーは、選択中の項目を示すカーソルを、上記選択候補の何れかの項目に変更するためのものであり、通常、上下左右にそれぞれ変更するための４つのキーである。従って、上記選択候補の項目も、通常、４つであり、４つの上記選択候補の項目のそれぞれが、上記選択中の項目から上下左右の何れに該当するかは、ユーザが一見して判断することができる。これにより、何れのカーソルキーを押せば何れの項目が選択されるかをユーザは容易に判断することができる。
【００１４】
なお、上記項目の例としては、別のＷｅｂページ、或いは同じＷｅｂページの別の部分を表示するためのリンク（ハイパーリンク）、各種機能を実行するためのボタン、各種の入力を行うためのボックスなどが挙げられる。また、上記表示形態の例としては、色、文字スタイル（斜体・太字など）、文字サイズ、文字フォント、網掛けなどの装飾、文字色の反転などが挙げられる。また、上記表示形態は、固定であってもよいし、ユーザによって設定可能であってもよい。
【００１５】
本発明に係る表示制御デバイスでは、前記表示画像作成手段は、さらに、前記複数の選択候補の項目のそれぞれが互いに異なる表示形態となるように、前記表示画像を変更することが好ましい。この場合、上記カーソルキーと上記選択候補の項目との対応関係が明確となるため、何れのカーソルキーを押せば何れの項目が選択されるかをユーザはさらに容易に判断することができる。
【００１６】
さらに、前記表示画像作成手段は、前記複数のカーソルキーにそれぞれ対応する前記複数の選択候補の項目の表示形態と、前記複数のカーソルキーとの対応関係を表示するように、前記表示画像を変更してもよい。この場合、ユーザは、上記表示デバイスに表示される上記対応関係を参照することにより、何れのカーソルキーを押せば何れの項目が選択されるかを、さらに容易に判断することができる。
【００１７】
或いは、前記表示画像作成手段は、前記複数のカーソルキーにそれぞれ対応する前記複数の選択候補の項目の表示形態と、前記複数のカーソルキーとの対応関係を表示するように、前記操作デバイスに指示してもよい。この場合、ユーザは、上記操作デバイスに表示される上記対応関係を参照することにより、何れのカーソルキーを押せば何れの項目が選択されるかを、さらに容易に判断することができる。
【００１８】
なお、前記表示形態が色であれば、ユーザにとって視覚的に分かり易いので、好ましい。
【００１９】
なお、画面に画像を表示する表示デバイスと、該表示デバイスにおける表示を制御する上記構成の表示制御デバイスとを備える表示装置であれば、上述と同様の効果を奏することができる。さらに、携帯電話機のように、ユーザからの操作を受け付ける操作デバイスを備える表示装置であっても、上述と同様の効果を奏することができる。
【００２０】
本発明に係る操作デバイスは、表示デバイスの画面上に表示される複数の項目の何れかを選択する操作を行う操作デバイスであって、上記課題を解決するために、複数のカーソルキーと、各カーソルキーまたはその付近に設けられ、当該カーソルキーを押すことにより選択される選択候補の項目の色を表示するインジケータとを備えることを特徴としている。
【００２１】
上記の構成によると、上記カーソルキーと上記選択候補の項目との対応関係がさらに明確となるため、何れのカーソルキーを押せば何れの項目が選択されるかを、ユーザは操作デバイスのインジケータを参照して、容易に判断することができる。なお、上記インジケータは、色を付したマーカなどであってもよいし、ＬＥＤ（Light Emitting Diode）等の発光素子であってもよい。
【００２２】
なお、上記表示制御デバイスの各手段を、制御プログラムによりコンピュータ上で実行させることができる。さらに、上記制御プログラムを、コンピュータ読取り可能な記録媒体に記憶させることにより、任意のコンピュータ上で当該制御プログラムを実行させることができる。
【発明の効果】
【００２３】
以上のように、本発明に係る表示制御デバイスは、複数のカーソルキーを押すことによりそれぞれ選択される複数の選択候補の項目を特定し、特定した選択候補の項目が他の項目とは異なる表示形態としているので、番号を追加する従来技術に比べて、表示レイアウトが変更されることを防止できる効果を奏する。また、上記複数の選択候補の項目が、選択中の項目から何れの方向に該当するかをユーザが一見して判断できるので、何れのカーソルキーを押せば何れの項目が選択されるかをユーザは容易に判断できるという効果を奏する。
【図面の簡単な説明】
【００２４】
【図１】本発明の一実施形態である携帯電話機における概略構成を示すブロック図である。
【図２】上記携帯電話機の外観を示す正面図である。
【図３】Ｗｅｂブラウザを用いてＷｅｂページを画面に表示した表示例を示す図である。
【図４】上記携帯電話機においてＷｅｂページの表示画像を作成する処理の流れを示すフローチャートである。
【図５】上記Ｗｅｂページの表示画像を作成する処理における選択候補のリンクの特定および表示変更の処理の流れを示すフローチャートである。
【図６】Ｗｅｂブラウザを用いてＷｅｂページを画面に表示した別の表示例を示す図である。
【図７】Ｗｅｂブラウザを用いてＷｅｂページを画面に表示した他の表示例を示す図である。
【図８】上記携帯電話機におけるカーソルキー色を施した例を示す平面図である。
【発明を実施するための形態】
【００２５】
以下、本発明の一実施形態について図１〜図８を参照して説明する。図２は、本発明の一実施形態である携帯電話機（表示装置）１の外観を示している。なお、本発明は、携帯電話機に限定されるものではなく、自動車電話機、ＰＨＳ（Personal Handyphone System）端末、ＰＤＡ（Personal Digital Assistant）、ノート型ＰＣ（Personal Computer）などの携帯型通信端末に適用されることができる。
【００２６】
図２に示されるように、本実施形態の携帯電話機１は、いわゆるクラムシェル型であり、同図に開いた状態で示されている。同図は、携帯電話機１を閉じたときに内側となる部分を示しており、この部分は、携帯電話機１を開いたときにユーザが主に利用する側である。そこで、本願では同図に示される側を前面側とする。
【００２７】
図２に示されるように、携帯電話機１は、本体２と、蓋体３とからなり、本体２と蓋体３とはヒンジ状に連結している。蓋体３の前面側には表示部２４（図１を参照）の画面４が設けられ、蓋体３内にはアンテナ（図示せず）が設けられている。
【００２８】
本体２の前面側には、操作部２３（図１を参照）の操作ボタン群６が設けられている。操作ボタン群６は、携帯電話機１における各種設定や機能切替を行うための機能ボタン群７と、数字や文字などの記号を入力するための入力ボタン群８とから構成されている。具体的には、機能ボタン群７は、携帯電話機１の電源のＯＮ／ＯＦＦを切り替える電源ボタン、通話を開始させるオフフックボタン、通話を終了させるオンフックボタン、撮影モードを起動させるカメラボタン、メールモードを起動させるメールボタン、選択対象を上下左右方向に移動させるための４つのカーソルキー（カーソルボタン）１０、４つのカーソルキー１０の中央に配置されており種々の選択を決定する決定ボタンなどを含んでいる。また、入力ボタン群８は、テンキーである。
【００２９】
本実施形態の携帯電話機１は、ブラウザを用いてＷｅｂページを画面４に表示する場合に、画面４上に表示されるリンクについて、複数のカーソルキー１０を押すことによりそれぞれ選択される複数の選択候補のリンクを、該選択候補ではない他のリンクとは異なる表示形態で表示するものである。このことを図３を参照して具体的に説明する。
【００３０】
図３は、Ｗｅｂブラウザを用いてＷｅｂページを画面４に表示した表示例を示す図である。同図の（ａ）・（ｂ）は、本実施形態の携帯電話機１による表示例を示しており、同図の（ｃ）は、従来の携帯電話機による表示例を比較例として示している。
【００３１】
図３の（ａ）〜（ｃ）に示すように、画面４には、「リンク１」〜「リンク１５」のリンク（ハイパーリンク）が表示されている。このうち、「リンク１２」が現在選択中のリンクであり、該リンクを囲むように枠状のカーソルＣが表示されている。同図の状態で、左方向のカーソルキー１０を押した場合、「リンク１２」の左側にあるリンクであって、「リンク１２」に距離が最も近いリンク（図示の例では「リンク７」）にカーソルＣが移動する。
【００３２】
しかしながら、従来の場合、ユーザは、図３の（ｃ）に示す表示例を参照しても、「リンク６」および「リンク７」何れが「リンク１２」に近いか不明である。このため、同図の（ｃ）の状態で左方向のカーソルキー１０を押した場合、カーソルＣが「リンク６」に移動するか、「リンク７」に移動するかが不明である。
【００３３】
これに対し、本実施形態では、図３の（ａ）に示すように、カーソルキー１０を押すことによって選択される選択候補のリンク（図示の例では「リンク７」・「リンク１１」・「リンク１３」）に対し、点線の枠Ｆが表示されている。これにより、ユーザは、図３の（ａ）の状態で左方向のカーソルキー１０を押せば、カーソルＣが「リンク７」に移動することを容易に判断することができる。
【００３４】
また、図３の（ｂ）に示す表示例の場合、上方向、下方向、および左方向のカーソルキー１０を押すことによってそれぞれ選択される選択候補の「リンク１１」、「リンク１３」、および「リンク７」に対し、点線、破線、および一点鎖線の枠Ｆがそれぞれ表示されている。すなわち、カーソルキー１０ごとに、表示される枠Ｆの種類が異なっている。これにより、ユーザは、何れの方向のカーソルキー１０を押せば、カーソルＣが何れのリンクに移動するかをさらに容易に判断することができる。
【００３５】
次に、携帯電話機１の詳細な構成について説明する。図１は、携帯電話機１の概略構成を示すブロック図である。図示のように、本実施形態の携帯電話機１は、制御部（表示制御デバイス）２０、記憶部２１、通信部２２、操作部（操作デバイス）２３、および表示部（表示デバイス）２４を備える構成である。
【００３６】
制御部２０は、携帯電話機１内の各種構成を統括的に制御するものである。制御部２０の機能は、例えばＲＡＭ（Random Access Memory）やフラッシュメモリなどの記憶素子に記憶されたプログラムをＣＰＵ（Central Processing Unit）が実行することによって実現される。なお、制御部２０の詳細については後述する。
【００３７】
記憶部２１は、各種データおよびプログラムを記憶するものである。記憶部２１の例としては、制御部２０が動作するときに必要なプログラムや、通信制御データなどの固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭと、各種の設定データ、電子メールデータなどを記憶する書換え可能な不揮発性メモリ（例えばフラッシュメモリ）とが挙げられる。
【００３８】
通信部２２は、制御部２０から受信したデータを、無線送信に適した形式に変換し、変換した無線信号をアンテナ部（図示せず）を介して外部に送信するものである。また、通信部２２は、外部から上記アンテナ部を介して受信した無線信号を元の形式に変換し、変換したデータを制御部２０に送信するものである。具体的には、通信部２２では、チャネルコーデック処理、ベースバンド信号処理、データの変復調処理、ＲＦ（Radio Frequency）処理などが行われる。
【００３９】
操作部２３は、携帯電話機１の表面に設けられた操作ボタンなどの入力デバイスをユーザが操作することにより、操作データを作成して制御部２０に送信するものである。入力デバイスの例としては、ボタンスイッチの他にタッチパネルなどが挙げられる。上述のように、本実施形態では、操作部２３は、上下左右の４方向をそれぞれ示す４つのカーソルキー１０を備える構成である。
【００４０】
表示部２４は、制御部２０から表示データを受信し、受信した表示データに基づいて表示画面に表示を行うものである。具体的には、表示部２４は、ＬＣＤ（Liquid Crystal Display）、ＰＤＰ（Plasma Display Panel）、ＥＬ（Electroluminescence）ディスプレイなどの表示素子と、受信した表示データに基づいて表示素子を駆動するドライバ回路とを備える構成である。
【００４１】
次に、制御部２０および記憶部２１の詳細について説明する。図１に示すように、制御部２０は、Ｗｅｂページ取得部３０、Ｗｅｂページ解析部３１、表示画像作成部（表示画像作成手段）３２、および選択対象特定部（選択候補特定手段）３３を備える構成である。また、記憶部２１は、表示部２４の画面４のうち、Ｗｅｂページが表示される表示領域を示す表示領域情報を記憶している。
【００４２】
Ｗｅｂページ取得部３０は、インターネットから通信部２２を介してＷｅｂページを取得するものである。Ｗｅｂページ取得部３０は、取得したＷｅｂページを記憶部２１に記憶する。なお、Ｗｅｂページ取得部３０は、外部の記録装置からケーブルを介して取得してもよい。
【００４３】
Ｗｅｂページ解析部３１は、記憶部２１から読み出したＷｅｂページに対し解析を行うものである。Ｗｅｂページ解析部３１は、解析結果を表示画像作成部３２に送出する。なお、Ｗｅｂページの解析の詳細は周知であるので、その説明を省略する。
【００４４】
表示画像作成部３２は、Ｗｅｂページ解析部３１からの解析結果と、記憶部２１の表示領域情報とに基づいて、表示部２４の画面４に表示するための表示画像であって、上記表示領域に表示可能なＷｅｂページの一部または全部の表示画像を作成するものである。
【００４５】
同時に、表示画像作成部３２は、作成した表示画像に含まれる選択可能な項目の位置情報を取得して、選択対象特定部３３に送出する。なお、本実施形態では、上記選択可能な項目として、リンク（ハイパーリンク）を用いて説明しているが、各種機能を実行するためのボタン、各種の入力を行うためのボックスなど、選択可能な全ての項目を利用することが望ましい。
【００４６】
選択対象特定部３３は、表示画像作成部３２からの選択可能項目の位置情報に基づき、現在選択中の項目と上記選択候補の項目とを特定するものである。選択対象特定部３３は、特定した現在選択中の項目と上記選択候補の項目とを表示画像作成部３２に通知する。
【００４７】
表示画像作成部３２は、作成した表示画像について、選択対象特定部３３からの現在選択中の項目に対し、枠状のカーソルＣを追加すると共に、選択対象特定部３３からの上記選択候補の項目に対し、点線の枠Ｆ、または点線・破線・一点鎖線の枠Ｆを追加する。表示画像作成部３２は、カーソルＣおよび枠Ｆが追加された表示画像のデータを表示部２４に送信する。これにより、当該表示画像が画面４に表示される。
【００４８】
次に、上記構成の携帯電話機１において、Ｗｅｂページの表示画像を作成する処理について説明する。図４は、該処理の流れを示すフローチャートである。
【００４９】
図４に示すように、まず、外部からＷｅｂページ取得部３０が取得して記憶部２１に記憶したＷｅｂページを、Ｗｅｂページ解析部３１が読み出して解析する（Ｓ１０）。次に、表示画像作成部３２は、上記解析の結果と、記憶部２１における表示領域の情報とに基づいて、該表示領域に表示可能なＷｅｂページの一部または全部の表示画像を作成する（Ｓ１１、表示画像作成ステップ）。このとき、表示画像作成部３２は、作成した表示画像内に存在する全てのリンクの位置を取得する（Ｓ１２）。
【００５０】
次に、選択対象特定部３３は、表示画像作成部３２が取得したリンクの位置を参照して、適当な位置（例えば、画面４の左上部、中央部など）に存在する１つのリンクを、選択中のリンクに特定する（Ｓ１３）。それから、表示画像作成部３２は、上記選択中のリンクの位置に枠状のカーソルＣを上記表示画像に追加する（Ｓ１４）。なお、カーソルＣの色は背景色と異なることが望ましい。
【００５１】
次に、選択候補のリンクの特定および表示変更の処理を行う（Ｓ１５）。図５は、該処理の流れを示すフローチャートである。
【００５２】
図５に示すように、選択対象特定部３３は、カーソルキー１０を押した場合にカーソルＣが移動し得る領域（図３にて細線の破線で示される領域）を、選択候補となり得るリンクの検索対象領域として、カーソルキー１０ごとに設定する（Ｓ３０）。
【００５３】
ここで、上記リンクの検索対象領域について説明する。上記検索対象領域を上記表示画像の全体としてしまうと、表示画像に含まれる全てのリンクの位置と、現在選択中のリンクの位置との距離を計算する必要があり、計算量が多くなってしまう。このため、リンクの検索対象領域は或る程度制限することが望ましい。また、カーソルＣは、カーソルキー１０を押した方向と同じ方向へ移動することが一般的である。このため、リンクの検索対象領域は、カーソルキー１０の方向と同じ方向に設けることが望ましい。図３の例では、現在選択中のリンクよりも左側に、左方向のカーソルキー１０に関する検索対象領域が設定されることになる。
【００５４】
次に、選択対象特定部３３は、或るカーソルキー１０を選択し（Ｓ３１）、選択したカーソルキー１０に対応する検索対象領域内にリンクが存在するか否かを判断する（Ｓ３２）。存在しない場合、ステップＳ３６に進む。
【００５５】
一方、存在する場合、選択対象特定部３３は、上記検索対象領域内に存在する全てのリンクについて、位置を取得し（Ｓ３３）、上記選択中のリンクの位置との距離を算出して、上記選択中のリンクから最も近いリンクを、上記選択候補のリンクとして特定する（Ｓ３４、選択候補特定ステップ）。次に、表示画像作成部３２は、選択対象特定部３３が特定した選択候補のリンクの位置に、枠状のカーソルＣおよび背景色とは異なる枠Ｆを上記表示画像に追加する（Ｓ３５、表示画像変更ステップ）。
【００５６】
次に、表示画像作成部３２は、全てのカーソルキー１０が選択されたか否かを判断し（Ｓ３６）、選択されていない場合、別のカーソルキー１０を選択して（Ｓ３７）、ステップＳ３２に戻り、上記動作を繰り返す。一方、選択されている場合、図５に示す処理を終了し、図４に示す元の処理に戻る。
【００５７】
次に、カーソルキー１０が押されるか（Ｓ１６）、或いは、表示のスクロール、Ｗｅｂページの更新などの表示の変更が、ユーザから操作部２３を介して指示されるまで待機する（Ｓ１７）。上記表示の変更が指示された場合（Ｓ１７）、ステップＳ１０に戻って、上記動作を繰り返す。
【００５８】
一方、カーソルキー１０が押された場合（Ｓ１６）、表示画像作成部３２は、枠状のカーソルＣおよび選択候補の枠Ｆを上記表示画像から消去する（Ｓ１８）。次に、選択対象特定部３３は、押されたカーソルキー１０に対応する選択候補のリンクを選択中のリンクに変更し（Ｓ１９）、表示画像作成部３２は、変更された選択中のリンクに枠状のカーソルを上記表示画像に追加する（Ｓ２０）。その後、ステップＳ１５に戻って上記動作を繰り返す。
【００５９】
〔変形例〕
なお、図３では、カーソルキー１０ごとに、対応する選択候補のリンクに追加される枠Ｆの種類を異ならしているが、枠Ｆの色を異ならしてもよい。この場合、図５に示すステップＳ３５において、表示画像作成部３２は、選択対象特定部３３が特定した選択候補のリンクの位置に、枠状のカーソルＣの色と、背景色と、他の選択候補のリンクに追加された枠Ｆの色とは異なる枠Ｆを上記表示画像に追加すればよい。
【００６０】
さらに、上記の場合において、カーソルキー１０と、選択候補のリンクに追加される枠Ｆの色との対応関係を示す画像を、上記表示画像に追加することが望ましい。なお、この処理は、図５のステップＳ３６においてＹＥＳの場合、すなわち全てのカーソルキー１０が選択された後に実行すればよい。
【００６１】
図６は、上記対応関係を示す画像を追加した上記表示画像を画面４に表示した表示例を示す図である。図示の例では、上方向、下方向、左方向、および右方向のカーソルキー１０に対応する選択候補のリンクに追加される枠Ｆ１〜Ｆ４は、それぞれ、緑色、オレンジ色、黄色、および青色の破線となっている。さらに、図示の画像の左下には、４つのカーソルキー１０を模した画像であって、対応する枠Ｆ１〜Ｆ４の色が施された画像が含まれている。同図を参照すると、ユーザは、表示部２４の画面４に表示される上記対応関係を参照することにより、何れのカーソルキーを押せば何れのリンクが選択されるかを、さらに容易に判断できることが理解できる。
【００６２】
さらに、本実施形態では、或る選択候補のリンクに追加される枠Ｆの色が背景色と同じまたは類似する場合、当該枠Ｆの色を変更している。この場合、カーソルキー１０と枠Ｆの色との対応関係を示す画像における上記色も変更することが望ましい。
【００６３】
図７は、上記対応関係を示す画像を追加した上記表示画像を画面４に表示した別の表示例を示す図である。図示の表示画像では、背景色が黄色になっている。この場合、同図の（ａ）に示すように、左方向のカーソルキー１０に対応する枠Ｆ４が見づらくなっている。そこで、同図の（ｂ）に示すように、当該枠Ｆ４の色をピンク色に変更している。さらに、図示の画像の左下に位置するカーソルキー１０を模した画像において、対応する枠Ｆ４の色（ピンク色）に変更している。
【００６４】
なお、実際のカーソルキー１０またはその付近に種々の色を施すことができる場合には、４つのカーソルキー１０自体に、対応する枠Ｆ１〜Ｆ４の色を施してもよい。図８は、カーソルキー１０に、図６と同様の色を施した例を示す平面図である。この場合、ユーザは、カーソルキー１０にそれぞれ表示される枠Ｆ１〜Ｆ４の色（インジケータ）を参照することにより、何れのカーソルキー１０を押せば何れのリンクが選択されるかを、さらに容易に判断することができる。なお、上記色は、色を付したマーカなどを利用して施してもよいし、ＬＥＤ等の発光素子を発光させることにより施してもよい。
【００６５】
なお、各方向のカーソルキー１０に対し、それぞれ複数の色を予め割り当てておいてもよい。この場合、枠Ｆ１〜Ｆ４の色の変更に対応することができる。また、予め割り当てておいた複数の色の何れか１つが表示可能となるような機構を設けておき、枠Ｆ１〜Ｆ４の色の変更に伴って、対応する色を表示するようにしてもよい。
【００６６】
なお、枠Ｆの外周に、枠Ｆとは色の異なる縁部を追加しもよい。この場合、枠Ｆの色が背景色と同じまたは類似しても、枠Ｆとは色の異なる縁部の存在により、枠Ｆが見づらくなることを防止できる。
【００６７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００６８】
例えば、上記実施形態では、Ｗｅｂページを解析して表示する場合について説明しているが、選択可能な項目が表示される任意の表示データに対し本発明を適用することができる。
【００６９】
また、上記実施形態では、操作デバイスおよび表示デバイスを一体に備えた携帯電話機１について説明しているが、操作デバイスおよび表デバイスがそれぞれ別体であってもよい。
【００７０】
また、最近のデジタルＴＶ（テレビジョン）受像機のリモートコントローラには、盲目を選択するためのカーソルキーが設けられている。従って、本発明をデジタルＴＶ受像機に適用することができる。さらに、携帯電話機１からデジタルＴＶ受像機に表示画像のデータを送信し、携帯電話機１にて上記デジタルＴＶ受像機を遠隔操作する場合にも本発明を適用することができる。このように、本発明は、操作デバイスにカーソルキーが設けられており、該カーソルキーを操作することにより、表示デバイスを制御する任意の表示制御デバイスなどに適用することができる。
【００７１】
また、上記実施形態では、選択候補のリンクに対し枠Ｆを施し、枠Ｆの線種または色をカーソルキー１０ごとに変更しているが、色、文字スタイル（斜体・太字など）、文字サイズ、文字フォント、網掛けなどの装飾、文字色の反転など、任意の表示形態を変更することができる。
【００７２】
最後に、携帯電話機１の各ブロック、特に制御部２０は、ハードウェアロジックによって構成してもよいし、次のようにＣＰＵを用いてソフトウェアによって実現してもよい。
【００７３】
すなわち、携帯電話機１は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである携帯電話機１の制御プログラムのプログラムコード（実行形式プログラム、中間コードプログラム、ソースプログラム）をコンピュータで読み取り可能に記録した記録媒体を、上記携帯電話機１に供給し、そのコンピュータ（またはＣＰＵやＭＰＵ）が記録媒体に記録されているプログラムコードを読み出し実行することによっても、達成可能である。
【００７４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００７５】
また、携帯電話機１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。
【産業上の利用可能性】
【００７６】
以上のように、複数のカーソルキーを押すことによりそれぞれ選択される複数の選択候補の項目が他の項目とは異なる表示形態とすることにより、表示レイアウトの変更を防止できると共に、何れのカーソルキーを押せば何れの項目が選択されるかをユーザは容易に判断できるので、操作デバイスにカーソルキーが設けられており、該カーソルキーを操作することにより、表示デバイスを制御する任意の表示制御デバイスに本発明を適用することができる。
【符号の説明】
【００７７】
１  携帯電話機（表示装置）
４  画面
６  操作ボタン群
１０  カーソルキー
２０  制御部（表示制御デバイス）
２１  記憶部
２２  通信部
２３  操作部（操作デバイス）
２４  表示部（表示デバイス）
３０  Ｗｅｂページ取得部
３１  Ｗｅｂページ解析部
３２  表示画像作成部（表示画像作成手段）
３３  選択対象特定部（選択候補特定手段）
Ｃ  カーソル
Ｆ  選択候補のリンクの枠
【図１】
2013167979.tif 000003
【図２】
2013167979.tif 000004
【図３】
2013167979.tif 000005
【図４】
2013167979.tif 000006
【図５】
2013167979.tif 000007
【図６】
2013167979.tif 000008
【図７】
2013167979.tif 000009
【図８】
2013167979.tif 000010